【事件の表示】
　特許第２７８８５７４号「苗植付装置」の特許に対する特許異議の申立てについて、次のとおり決定する。
【結　論】
　訂正を認める。
　特許第２７８８５７４号の特許を維持する。
【理　由】
１.手続の経緯
　特許第２７８８５７４号の請求項１に係る発明についての出願は、平成４年６月２９日に特許出願され、平成１０年６月５日にその発明について特許の設定登録がなされ、その後、その特許について、特許異議申立人ヤンマー農機株式会社より特許異議の申立てがなされ、取消理由通知がなされ、その指定期間内である平成１１年１２月７日に訂正請求がなされたものである。
　
２.訂正の適否について
(2-1)訂正の内容
訂正事項ａ：
【特許請求の範囲】の欄の請求項１を次のように訂正する。
「苗を載置する苗のせ台（６）の苗のせ面に形成された開口部（６Ｂ）に、苗を苗取り出し口（ａ）に向けて送る苗送りベルト機構（８）を臨ませ、
　前記苗のせ台（６）の左右方向に亘る補強部材（７）を、前記苗送りベルト機構（８）の苗送りベルト（１６）の巻回経路を通して、前記苗のせ台（６）の裏側に取り付けると共に、
　前記苗のせ台（６）を左右に往復横送り駆動する横送り機構（Ａ）と前記補強部材（７）とを連結部材（９），（１３）を介して連結し、
　この連結部材（９），（１３）を、前記横送り機構（Ａ）側から、苗のせ台（６）の裏側の苗送りベルト（１６）を跨いで、かつ、隣合う苗送りベルト（１６）の間を通して前記補強部材（７）側に延設された部分で、前記補強部材（７）の長手方向に離れた複数箇所の部分と連結されるように構成してある苗植付装置。」。
訂正事項ｂ：
【課題を解決するための手段】の欄を、次のように訂正する。
「本発明の特徴は苗植装置において、次のように構成することにある。
　苗を載置する苗のせ台の苗のせ面に形成された開口部に、苗を苗取り出し口に向けて送る苗送りベルト機構を臨ませ、
　苗のせ台の左右方向に亘る補強部材を、苗送りベルト機構の苗送りベルトの巻回経路を通して、前記苗のせ台の裏側に取り付けると共に、
　前記苗のせ台を左右に往復横送り駆動する横送り機構と前記補強部材とを連結部材を介して連結し、
　この連結部材を、前記横送り機構側から、苗のせ台の裏側の苗送りベルトを跨いで、かつ、隣合う苗送りベルトの間を通して前記補強部材側に延設された部分で、前記補強部材の長手方向に離れた複数箇所の部分と連結されるように構成してある。」。
　
(2-2)訂正の目的の適否
　上記訂正事項は、「連結部材」について、その構成をより限定しようとしたものであり、特許請求の範囲の減縮を目的とする。
　上記訂正事項ｂは、特許請求の範囲の記載と発明の詳細な説明の記載との整合を図るためであり、明りょうでない記載の釈明を目的とする。
　
(2-3)新規事項の有無及び拡張・変更の存否
　上記「連結部材」の具体構成については、本件特許公報に次の事項が記載されている。
「苗送りベルト機構８の隣合う苗送りベルト１６の間における補強フレーム７の部分において、補強フレーム７の部分の複数に第１ブラケット９（連結部材に相当）を連結して、機体前方側に向けて第１ブラケット９を延出し、第１ブラケット９に苗のせ台６の横送り機構Ａを連結している。」（本件特許公報第５欄第９〜１４行）、
「図２，３，４に示すように、下方に位置する駆動プーリ１４と上方に位置する従動プーリ１５とに亘り、突起付きの苗送りベルト１６を巻回して苗送りベルト機構８を構成しており、」（本件特許公報第５欄第４４〜４７行）、
「苗送りベルト機構８の苗送りベルト１６は、下方に位置する駆動プーリ１４と上方に位置する従動プーリ１５とに亘って巻回され、第１ブラケット９及び連結部材１３は、苗送りベルト１６の下向きの面に対向して位置している。」（図２）、
「第１ブラケット９は、苗のせ台の裏面側で、従動プーリ１５から離れて、その従動プーリ１５を跨ぐ状態でコ字状に形成されている。」（図３）。
　以上の記載事項から、この図３では省略されているが、そのコ字状の第１ブラケット９と従動プーリ１５との間の空間に苗送りベルト１６の下向き面部分が挿通状態で存在していることは明かであり、「この連結部材（９），（１３）を、前記横送り機構（Ａ）側から、苗のせ台（６）の裏側の苗送りベルト（１６）を跨いで」構成したこと、及び、「隣合う苗送りベルト（１６）の間を通して前記補強部材（７）側に延設された部分で、前記補強部材（７）の長手方向に離れた複数箇所の部分と連結されるように構成してある」ことは本件特許明細書に記載に基づくものである。
　したがって、上記訂正事項ａ，ｂは、願書に添付した明細書又は図面に記載した事項の範囲内の訂正であり、実質上特許請求の範囲を拡張し又は変更するものでもない。
　
(2-4)独立特許要件
　訂正明細書の請求項１に係る発明は、上記訂正事項ａに記載された事項により特定されるとおりのものである。
　実願平３−２６９５７号（実開平５−５１０２０号）の願書に添付された明細書及び図面を内容を記録したＣＤ−ＲＯＭ(平成５年７月９日特許庁発行)（甲第１号証）（以下、先願明細書記載の考案という。）には、次の事項が記載されている。
「傾斜状に配設した苗載台上に載置した苗マットを、その下端苗取り出し口に向かって縦送りすると共に、苗取り出し口と圃場面との間で苗を分割して苗取りする苗植付け機構の動きに応じて苗載台を横移動するように構成してなる田植機の苗載台において、苗載台には苗マットの幅寸法と略等しい広幅の縦搬送ベルトを配設するための配置穴を穿設し、苗載台の裏面には前記配置穴の上下中途部において横方向に補強する補強梁を連結し、この補強梁には、苗載台横送り伝動部材を設けたことを特徴とする田植機における苗載台装置。」（【請求項１】）、
「苗載台１５は、図３〜図５に示すように、苗マット２４の幅寸法（Ｈ１）に略等しい横間隔で区切る突条の補強リブ２５と苗マット載置用の固定板２６とからなり、固定板２６には、苗マット２４の幅寸法（Ｈ１）より若干狭い広幅の縦搬送ベルト２８（無端帯）が配置できる平面視矩形状の配置穴２７を穿設する。・・・」（【0013】）  、
「・・・符号３１は前記配置穴２７の上下中途部位において、固定板２６の裏面間を連結するための横長の断面矩形等の補強梁で、この補強梁３１は、前記各補強リブ２５の下面（裏面）箇所でブラケット３２等にボルト３３固定する。」（【0014】）、
「前記中央伝動ケース１２の左右両側には、前記苗植付け機構１６の回動に同期して横方向に所定のピッチで移動する横移動杆３４を横方向に摺動自在に突設してあり、該横移動杆３４の左右両端部から突出する連結部材３５，３５を、前記補強梁３１の裏面に突設した伝動部材３６の凹所３８に調節ボルト３７，３７を介して接続する。なお、前記伝動部材３６が縦搬送ベルト２８の巻回内径部に位置するときには、連結部材３５，３５を縦搬送ベルト２８の側方から巻回内径部に挿入するように構成しなければならない。」（【0015】）、
「図７及び図８は第２実施例を示し、苗載台１５の固定板２６の裏面（下面）に、前記矩形状の配置穴２７の上下中途部を横方向に跨ぐように支軸４６を配設し、補強リブ２５の裏面箇所等にブラケット４７を介して固定し・・・」（【0018】）、
「図８における符号４９は前記中間ローラ４８と略平行状に固定板２６の裏面側に配設した伝動部材で、該伝動部材４９の両端を前記ブラケット４７，４７に固定し、前記実施例と同様に横送り機構における横移動杆３４の左右両端部から突出する連結部材３５，３５を、前記伝動部材４９の凹所５０に調節ボルト３７，３７を介して接続することができる。」（【0019】）、
「伝動部材３６は、表側の苗送りベルトと裏側の苗送りベルトの搬送経路内において補強部材（補強梁３１）の長手方向に離れた複数箇所の部分と連結されるように構成してある。」（図３、６）、
「第２実施例において、伝動部材４９は、隣り合う縦搬送ベルト２８の間の支軸４６側に延設された部分で、表側の苗送りベルトと裏側の苗送りベルトの搬送経路内において支軸４６の長手方向に離れた複数箇所の部分と連結されるように構成してある。」（図７、８）。
　
　訂正明細書の請求項１に係る発明と先願明細書記載の考案とを対比する。
　訂正明細書の請求項１に係る発明は、少なくとも、「連結部材（９），（１３）を、前記横送り機構（Ａ）側から、苗のせ台（６）の裏側の苗送りベルト（１６）を跨いで、かつ、隣合う苗送りベルト（１６）の間を通して前記補強部材（７）側に延設された部分で、前記補強部材（７）の長手方向に離れた複数箇所の部分と連結されるように」構成してある。
　これに対し、上記先願明細書記載の考案（とくに、第２実施例）は、「連結部材（伝動部材４９）を、隣り合う苗送りベルト（縦搬送ベルト２８）の間の補強部材（支軸４６）側に延設された部分で、前記補強部材の長手方向に離れた複数箇所の部分と連結されるように構成してある」ものの、連結部材（伝動部材４９）は表側の苗送りベルトと裏側の苗送りベルトの搬送経路内において補強部材（支軸４６）の長手方向に離れた複数箇所の部分と連結されるように構成してあり、訂正明細書の請求項１に係る発明のように「連結部材（９、１３）を、裏側の苗送りベルトを跨いで、補強部材（７）の長手方向に離れた複数箇所の部分と連結されるように」構成したものではない。
　この点において両者は相違し、本件発明は、上記先願明細書記載の考案と同一ということはできず、本件出願の際独立して特許を受けることができるものである。
　
(2-5)むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３.特許異議申立てについて
(3-1)本件発明
　訂正明細書の請求項１に係る発明（以下、本件発明という。）は、上記訂正事項ａに記載された事項により特定されるとおりのものである。
　
(3-2)申立ての理由の概要
　訂正前の本件発明は、本件特許出願の日前の出願であって本件出願後に公開された上記先願明細書記載の考案と同一であり、両者の発明者が同一でなく、訂正前の本件発明の出願の時に両者の出願人が同一でないから、特許法第２９条の２の規定により特許を受けることができないものである。
　
(3-3)対比・判断
　本件発明は、上記「(2-4)独立特許要件」において検討したとおり、先願明細書記載の考案と同一ということができない。
　
(3-4)むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年８月１６日（２０００．８．１６）
【訂正の要旨】
訂正の要旨
訂正事項ａ：
　【特許請求の範囲】の欄の請求項１を、特許請求の範囲の減縮を目的として、次のように訂正する。
「苗を載置する苗のせ台（６）の苗のせ面に形成された開口部（６Ｂ）に、苗を苗取り出し口（ａ）に向けて送る苗送りベルト機構（８）を臨ませ、
　前記苗のせ台（６）の左右方向に亘る補強部材（７）を、前記苗送りベルト機構（８）の苗送りベルト（１６）の巻回経路を通して、前記苗のせ台（６）の裏側に取り付けると共に、
　
前記苗のせ台（６）を左右に往復横送り駆動する横送り機構（Ａ）と前記補強部材（７）とを連結部材（９），（１３）を介して連結し、
　この連結部材（９），（１３）を、前記横送り機構（Ａ）側から、苗のせ台（６）の裏側の苗送りベルト（１６）を跨いで、かつ、隣合う苗送りベルト（１６）の間を通して前記補強部材（７）側に延設された部分で、前記補強部材（７）の長手方向に離れた複数箇所の部分と連結されるように構成してある
訂正事項ｂ：
　【課題を解決するための手段】の欄を、特許請求の範囲の記載と発明の詳細な説明の記載との整合を図るため、明りょうでない記載の釈明を目的として、次のように訂正する。
「本発明の特徴は苗植装置において、次のように構成することにある。
　苗を載置する苗のせ台の苗のせ面に形成された開口部に、苗を苗取り出し口に向けて送る苗送りベルト機構を臨ませ、
　苗のせ台の左右方向に亘る補強部材を、苗送りベルト機構の苗送りベルトの巻回経路を通して、前記苗のせ台の裏側に取り付けると共に、
　
前記苗のせ台を左右に往復横送り駆動する横送り機構と前記補強部材とを連結部材を介して連結し、
　この連結部材を、前記横送り機構側から、苗のせ台の裏側の苗送りベルトを跨いで、かつ、隣合う苗送りベルトの間を通して前記補強部材側に延設された部分で、前記補強部材の長手方向に離れた複数箇所の部分と連結されるように構成してある。」
（５４）【発明の名称】
苗植付装置
（５７）【特許請求の範囲】
　　【請求項１】　苗を載置する苗のせ台（６）の苗のせ面に形成された開口部（６Ｂ）に、苗を苗取り出し口（ａ）に向けて送る苗送りベルト機構（８）を臨ませ、
　前記苗のせ台（６）の左右方向に亘る補強部材（７）を、前記苗送りベルト機構（８）の苗送りベルト（１６）の巻回経路を通して、前記苗のせ台（６）の裏側に取り付けると共に、
　
前記苗のせ台（６）を左右に往復横送り駆動する横送り機構（Ａ）と前記補強部材（７）とを連結部材（９），（１３）を介して連結し、
　この連結部材（９），（１３）を、前記横送り機構（Ａ）側から、苗のせ台（６）の裏側の苗送りベルト（１６）を跨いで、かつ、隣合う苗送りベルト（１６）の間を通して前記補強部材（７）側に延設された部分で、前記補強部材（７）の長手方向に離れた複数箇所の部分と連結されるように構成してある
【発明の詳細な説明】
　【０００１】
　　【産業上の利用分野】
　本発明は、田植機に装備される苗植付装置の苗のせ台の構成に関する。
　【０００２】
　　【従来の技術】
　苗植付装置においては、苗を載置する苗のせ台の苗のせ面に開口部を形成し、
苗送りベルト機構を開口部に臨ませるように配置して、苗送りベルト機構の苗送りベルトを苗の裏面に当て付け苗送りベルトを回転駆動することにより、苗を苗取り出し口に向けて送るように構成したものがある。
　このように苗送りベルトを苗の裏面の長い範囲に亘って当て付けることによって、苗のせ台に載置される苗を苗送りベルトにより、苗取り出し口に向けて確実に送ることができる。
　【０００３】
　　【発明が解決しようとする課題】
　しかし、前述のような苗送りベルト機構を苗のせ台に備えると、苗のせ面に苗送りベルト機構を臨ませる為に、比較的大きな開口部を苗のせ面に形成しなければならないので、苗のせ台において苗のせ面の開口部付近の強度低下を招くことがある。
　本発明は苗のせ台に苗送りベルト機構を備えた苗植付装置において、苗のせ台における苗のせ面の開口部付近の強度低下を防止できる構成を得ることを目的としている。
　【０００４】
　　【課題を解決するための手段】
　本発明の特徴は苗植付装置において、次のように構成することにある。
　苗を載置する苗のせ台の苗のせ面に形成された開口部に、苗を苗取り出し口に向けて送る苗送りベルト機構を臨ませ、
　苗のせ台の左右方向に亘る補強部材を、苗送りベルト機構の苗送りベルトの巻回経路を通して、苗のせ台の裏側に取り付けると共に、
　
前記苗のせ台を左右に往復横送り駆動する横送り機構と前記補強部材とを連結部材を介して連結し、
　この連結部材を、前記横送り機構側から、苗のせ台の裏側の苗送りベルトを跨いで、かつ、隣合う苗送りベルトの間を通して前記補強部材側に延設された部分で、前記補強部材の長手方向に離れた複数箇所の部分と連結されるように構成してある。
　【０００５】
　　【作用】
〔Ｉ〕
　請求項１の特徴のように、苗のせ台の左右方向に亘る補強部材を、苗送りベルトの巻回経路を通して苗のせ台の裏側に取り付けると、苗送りベルト機構が臨む苗のせ面の開口部を、補強部材が横切るように配置されることになって、苗のせ台における苗のせ面の開口部付近が補強部材によって補強される。
　この場合、苗送りベルトの巻回経路を通して補強部材を取り付けているので、既存の苗送りベルト機構の範囲から補強部材が大きく出るようなことがなく、補強部材の配置スペースに無駄がない。
　【０００６】
　〔ＩＩ〕
　苗植付装置においては一般に、苗送りベルトを備えた苗送りベルト機構や、苗のせ台を左右に往復横送り駆動する横送り機構、植付爪の駆動機構を、苗のせ台の裏側の比較的低い位置に備えており、苗植付装置が全体的にコンパクトになるように、且つ、苗植付装置の重心が低くなるように構成している。
　【０００７】
　この場合、苗送りベルトよりも上側の苗のせ台の部分と、苗のせ台の裏側の比較的低い位置の横送り機構とを、連結部材を介して連結するように構成すれば、連結部材が長いものになってしまう。このように連結部材が長いものになると、横送り機構による往復横送りの動力を苗のせ台に伝達する際、連結部材にたわみが生じて、横送り機構による往復横送りの動力を苗のせ台に確実に伝達することができないような状態の生じることがある。
　逆に、苗送りベルトよりも上側の苗のせ台の部分と横送り機構とを連結する際に、前述の連結部材を短いものにしようとすれば、横送り機構の位置を上方に持ち上げて、苗送りベルトよりも上側の苗のせ台の部分に横送り機構を接近させるように構成する必要がある。しかし、横送り機構を苗送りベルト機構や植付爪の駆動機構から離して上方に配置すると、前述の苗植付装置の全体的なコンパクト化、及び苗植付装置の低重心化に反することになる。
　【０００８】
　これに対し請求項１の特徴によると、補強部材を苗送りベルトの巻回経路を通して苗のせ台の裏側に取り付けているので、補強部材が横送り機構の近くに位置することになって、補強部材と横送り機構とを連結部材を介して連結した際に、連結部材を短いものに構成することができる。従って、横送り機構による往復横送りの動力が、連結部材のたわみを伴うことなく補強部材（苗のせ台）に確実に伝達される。
　【０００９】
〔ＩＩＩ〕
　請求項１の特徴では補強部材と横送り機構とを連結部材を介して連結する際、隣合う苗送りベルトの間における補強部材の部分の複数と、横送り機構とを連結部材を介して連結している。これによって、横送り機構による往復横送りの動力が、こじり現象を伴うことなく連結部材を介して補強部材（苗のせ台）に確実に伝達される。
　【００１０】
　　【発明の効果】
　請求項１の特徴によると、苗のせ台に苗送りベルト機構を備えた苗植付装置において、補強部材により苗のせ台における苗のせ面の開口部付近を補強することができて、苗のせ台の耐久性を向上させることができた。
　この場合、苗送りベルトの巻回経路を有効に利用して補強部材を取り付けているので、補強部材の配置スペースに無駄がなく、苗のせ台のコンパクト化の面で有利なものとなる。
　【００１１】
　請求項１の特徴によると、横送り機構による往復横送りの動力が、連結部材のたわみや、こじり現象を伴うことなく、連結部材を介して補強部材（苗のせ台）に確実に伝達されるので、苗のせ台の確実な往復横送りによって、苗の植付精度を向上させることができる。
　【００１２】
　　【実施例】
　図１に示すように、本機（図示せず）の後端に設けられた四連リンク１に、本機から動力の伝達を受けるフィードケース２を連結し、フィードケース２の下端に横向きフレーム３を連結して、横向きフレーム３から後方に向けて複数個の植付ケース４を延出している。植付ケース４の前端部を横向きフレーム３と平行に架設した伝動軸（図示せず）で連結して、植付ケース４への伝動構造を構成しており、植付ケース４の後端部に苗植付機構５、植付ケース４の上方に苗植付機構５の植付作動に連動して左右に一定ストロークで往復横送り駆動される苗のせ台６を設けて、乗用型の田植機に搭載される苗植付装置を構成している。
　【００１３】
　次に、苗のせ台６の往復横送りの構造について説明する。図３及び図４に示すように、苗のせ台６の裏側に全幅に亘って横向きの補強フレーム７（補強部材に相当）を掛け渡して取り付け、苗のせ台６を組み立て状態で補強している。苗のせ台６は植付条毎にマット状の苗を仕切る仕切り壁６Ａを設けて、仕切り壁６Ａで植付条毎の苗のせ台６の部分（苗のせ面）に分割しており、補強フレーム７で組み立て状態の苗のせ台６を補強している。
　【００１４】
　図２及び図３に示すように、補強フレーム７を断面Ｔ字状に形成しており、後述する苗送りベルト機構８の苗送りベルト１６の巻回経路を通して、補強フレーム７を配置している。苗送りベルト機構８の隣合う苗送りベルト１６の間における補強フレーム７の部分において、補強フレーム７の部分の複数に第１ブラケット９（連結部材に相当）を連結して、機体前方側に向けて第１ブラケット９を延出し、第１ブラケット９に苗のせ台６の横送り機構Ａを連結している。
　【００１５】
　横送り機構Ａは図２及び図３に示すように、フィードケース２から螺旋軸１０を横向きに延出し、螺旋軸１０に外嵌されて螺旋軸１０の軸芯方向に沿って横移動可能な移動体１１を設けて、移動体１１内に螺旋軸１０の螺旋溝に咬合するコマ部材１２を内装し、螺旋軸１０の回転によりコマ部材１２と一体で移動体１１を横送り駆動可能に構成している。移動体１１と第１ブラケット９とを、連結部材１３を介して連結している。以上の構成により、フィードケース２内の駆動機構（図示せず）によって螺旋軸１０を回転駆動し、移動体１１を一定ストロークで往復移動させて苗のせ台６を左右に往復横送り駆動する。
　【００１６】
　図２に示すように苗のせ台６の下部に、苗のせ面の苗の下端を受け止めて苗のせ台６に連れて横移動する苗を案内する摺動板２６を設けている。横送り機構Ａに連結される補強フレーム７を、苗送りベルト１６の巻回経路内に位置させることによって、苗送りベルト１６を避けて苗のせ台６の上端部に補強フレーム７を位置させるよりも、補強フレーム７を摺動板２６に近く配置でき、横送り駆動機構Ａの苗のせ台６に対する作用点と摺動板２６との間隔を小さくできて、苗のせ台６の左右への往復横送り駆動を円滑に行うことができる。
　移動体１１が螺旋軸１０に比べて小さなものなので、螺旋軸１０の両端から補強フレーム７に連結するアームを延出する場合に比べて、連結に要する配置スペースを小さくでき、苗のせ台６の全幅に亘る補強フレーム７のいずれの部分とも連結可能なので、連結点の制約が少ないと言う利点がある。
　【００１７】
　次に、苗送りベルト機構８について説明する。図２，３，４に示すように、下方に位置する駆動プーリ１４と上方に位置する従動プーリ１５とに亘り、突起付きの苗送りベルト１６を巻回して苗送りベルト機構８を構成しており、苗送りベルト機構８を苗のせ面に形成された二つの開口部６Ｂの各々に臨ませている。駆動プーリ１４の軸に被動アーム１７を、ワンウエイクラッチ（図示せず）及び戻しバネ（図示せず）を介して取り付け、フィードケース２から突設して常時回転する回転軸１８に、一対の駆動アーム１９を所定間隔で取り付けている。これにより、苗のせ台６の往復横送りの移動端において駆動アーム１９と被動アーム１７との位相が一致し、駆動アーム１９が被動アーム１７を駆動して、苗送りベルト１６が一定長さだけ回転移動し、苗を苗取り出し口ａに向けて送る。
　【００１８】
　図２に示すように、被動アーム１７と繰り出し量調節レバー（図示せず）とをワイヤ２１で連結しており、被動アーム１７の角度を変更して駆動アーム１９と最初に接触して駆動される初期位置を変更することにより、被動アーム１７の回転角度を変更して、苗送りベルト１６の回転移動量を調節可能に構成している。ワイヤ２１におけるアウタの支持部材２２を補強フレーム７に取り付けて、補強フレーム７を有効に利用しており、第２ブラケット２３を補強フレーム７に取り付けて、他の操作用のワイヤの受けとしても利用している。
　【００１９】
　図１，２，３，４に示すように補強フレーム７をアルミの型材で形成し、補強フレーム７に対して樹脂製の受け板２４を、スナップフィット式に弾性装着可
に取り付けており、受け板２４を苗送りベルト１６の送り経路側の裏面に接当させ、苗送りベルト１６の弛みを防止している。苗のせ台６の苗のせ面に沿って揺動して仕切り壁６Ａに対して出退自在な苗残量センサ２５が備えられている。
　【００２０】
〔別実施例〕
▲１▼　横送り機構Ａとして螺旋軸１０に咬合したコマ部材１２を移動させる構成を採っているが、コマ部材１２を螺旋軸１０に固定して、螺旋軸１０を軸芯方向にスライド移動させるように構成してもよい。
▲２▼　横送り機構Ａとしては螺旋軸１０を使用せずに、シリンダやチェーン等を利用したものでもよい。
▲３▼　苗送りベルト１６としては突起は無くてもよく、摩擦係数を高めるコーティング材や植毛を施したものでもよい。
　【００２１】
　尚、特許請求の範囲の項に図面との対照を便利にするために符号を記すが、該記入により本発明は添付図面の構成に限定されるものではない。
【図面の簡単な説明】
　　【図１】
　苗植付装置の側面図
　　【図２】
　受け板、苗送りベルト機構及び横送り機構付近の縦断側面図
　　【図３】
　受け板、苗送りベルト機構及び横送り機構付近の横断平面図
　　【図４】
　苗のせ台の苗のせ面及び苗送りベルト機構の正面図
　　【符号の説明】
　６　　　　苗のせ台
　６Ｂ　　　苗のせ台の開口部
　７　　　　補強部材
　８　　　　苗送りベルト機構
　９，１３　連結部材
　１６　　　苗送りベルト
　Ａ　　　　横送り機構
　ａ　　　　苗取り出し口